(57)【要約】【課題】蓄電池の交換作業を容易に行うことが可能な収納装置および蓄電池交換方法を提供する。【解決手段】収納装置１６１は、蓄電池Ｂの収納装置であって、蓄電池Ｂを載置可能な棚１２１と、棚１２１を収容し、棚１２１に載置された蓄電池Ｂを外部に取り出し可能な取り出し空間３１１を棚１２１とともに規定する開口部３０１が形成されたケーシング１０２と、棚１２１に載置される蓄電池Ｂの取り出し空間３１１の一部または全部を閉鎖可能なカバーパネル１３１とを備える。そして、カバーパネル１３１は、取り出し空間３１１を開放した状態において、取り出し空間３１１から収納装置１６１の外部への方向に延伸し、かつ棚１２１の載置面１２２と略同一平面を形成する。【選択図】図７
2015002005.tif 000002
【特許請求の範囲】
【請求項１】
蓄電池の収納装置であって、
前記蓄電池を載置可能な棚と、
前記棚を収容し、前記棚に載置された前記蓄電池を外部に取り出し可能な取り出し空間を前記棚とともに規定する開口部が形成されたケーシングと、
前記棚に載置される前記蓄電池の前記取り出し空間の一部または全部を閉鎖可能なカバーパネルとを備え、
前記カバーパネルは、前記取り出し空間を開放した状態において、前記取り出し空間から前記収納装置の外部への方向に延伸し、かつ前記棚の載置面と略同一平面を形成する、収納装置。
【請求項２】
前記収納装置は、さらに、
前記カバーパネルの変位を制限可能であり、前記棚に載置された前記蓄電池と他の回路との電気的な接続経路の一部を形成する接続部材を備え、
前記接続部材が前記カバーパネルの変位を制限している状態において、前記接続部材を含む前記接続経路が形成され、かつ前記カバーパネルは前記取り出し空間を閉鎖しており、前記接続部材が前記カバーパネルの制限を解除した状態において、前記接続経路は形成されず、かつ前記カバーパネルは前記取り出し空間を開放可能となる、請求項１に記載の収納装置。
【請求項３】
前記収納装置は、さらに、
前記ケーシングに取り付けられ、前記ケーシングの開口部を閉鎖可能な扉を備え、
前記扉の開放は、開放された前記扉と前記カバーパネルの延伸方向とのなす角が鋭角になるように制限されている、請求項１または請求項２に記載の収納装置。
【請求項４】
前記取り出し空間を開放した状態において前記載置面と略同一平面を形成する前記カバーパネルの面の一部または全部の摩擦係数は、前記載置面の摩擦係数と比べて小さい、請求項１から請求項３のいずれか１項に記載の収納装置。
【請求項５】
前記取り出し空間を開放した状態において前記載置面と略同一平面を形成する前記カバーパネルの面の一部または全部の絶縁性は、前記載置面の絶縁性と比べて高い、請求項１から請求項４のいずれか１項に記載の収納装置。
【請求項６】
前記カバーパネルのサイズは、前記取り出し空間を開放した状態において前記蓄電池を載置可能なサイズである、請求項１から請求項５のいずれか１項に記載の収納装置。
【請求項７】
前記収納装置は、さらに、
前記カバーパネルが前記取り出し空間を開閉可能となるように前記カバーパネルを変位させるための駆動部を備え、
前記駆動部は、前記棚および前記カバーパネルに取り付けられている、請求項１から請求項６のいずれか１項に記載の収納装置。
【請求項８】
前記棚に載置された前記蓄電池の取り出しは、複数人で行うことが推奨されている、請求項１から請求項７のいずれか１項に記載の収納装置。
【請求項９】
蓄電池が載置可能な棚と、
前記棚を収容し、前記棚に載置された前記蓄電池を外部に取り出し可能な取り出し空間を前記棚とともに規定する開口部が形成されたケーシングと、
前記棚に載置される前記蓄電池の前記取り出し空間の一部または全部を閉鎖可能なカバーパネルとを備え、
前記カバーパネルは、前記取り出し空間を開放した状態において、前記取り出し空間から前記収納装置の外部への方向に延伸し、かつ前記棚の載置面と略同一平面を形成する、収納装置における蓄電池交換方法であって、
前記カバーパネルを操作して前記取り出し空間を開放するステップと、
前記棚に載置された前記蓄電池を前記収納装置から取り出すステップとを含む、蓄電池交換方法。
【発明の詳細な説明】
【技術分野】
【０００１】
本発明は、収納装置および蓄電池交換方法に関し、特に、蓄電池を収納する収納装置および当該収納装置における蓄電池交換方法に関する。
【背景技術】
【０００２】
特許第３６６７７２４号公報（特許文献１）には、前面を開口した直方形の筺体の左右の側板の各板面の四隅に連結用突出板部を配設して成る電池収納筺において、該筺体の左右の側板にこれら一体に前方へ所望の長さ突出する前方延長板部を形成すると共にその左右の各前方延長板部の三辺を外側方へ直角に折り曲げたＬ字状の三辺折り曲げ板部をもつ前方延長側板部を該筺体の該開口部の左右に配設した蓄電池収納筺が開示されている。
【０００３】
また、特許文献１には、以下のような内容が開示されている。すなわち、上記蓄電池収納筺に蓄電池を複数個収納して成るユニット電池を複数個積み重ねると共に前後左右の突出連結板部で互いに結着してキュービクル式蓄電池組立体が構成される。そのキュービクル式蓄電池組立体の最上位のユニット電池の筺体の上面に端末端子保護枠体を取り付け、更に、その組立体の前面に、各段のユニット電池の筺体の該開口部の左右に突出する前方延長側板の前辺折り曲げ板部に扉が取り付けられ、キュービクル式蓄電池盤が構成される。
【先行技術文献】
【特許文献】
【０００４】
【特許文献１】特許第３６６７７２４号公報
【特許文献２】実開昭５９−１６６３６１号公報
【特許文献３】実開平７−８９５２号公報
【特許文献４】特開２０１２−２５２９７１号公報
【特許文献５】特許第５０９６８３７号公報
【発明の概要】
【発明が解決しようとする課題】
【０００５】
たとえば、キュービクル式蓄電池盤において蓄電池の交換作業が行われる場合、作業者は収納された蓄電池の取出しおよび交換用の蓄電池の据付等の作業を行う。一般に、蓄電池は重量物であるため、キュービクル式蓄電池盤のサイズおよび設置場所等によっては、交換作業が困難となる場合がある。
【０００６】
たとえば、キュービクル式蓄電池盤の幅が狭い場合、作業者が蓄電池の交換作業を行うための空間を十分に確保することができず、蓄電池の交換作業が困難となる。
【０００７】
この発明は、上述の課題を解決するためになされたもので、その目的は、蓄電池の交換作業を容易に行うことが可能な収納装置および蓄電池交換方法を提供することである。
【課題を解決するための手段】
【０００８】
（１）上記課題を解決するために、この発明のある局面に係わる収納装置は、蓄電池の収納装置であって、上記蓄電池を載置可能な棚と、上記棚を収容し、上記棚に載置された上記蓄電池を外部に取り出し可能な取り出し空間を上記棚とともに規定する開口部が形成されたケーシングと、上記棚に載置される上記蓄電池の上記取り出し空間の一部または全部を閉鎖可能なカバーパネルとを備え、上記カバーパネルは、上記取り出し空間を開放した状態において、上記取り出し空間から上記収納装置の外部への方向に延伸し、かつ上記棚の載置面と略同一平面を形成する。
【０００９】
（９）上記課題を解決するために、この発明のある局面に係わる蓄電池交換方法は、蓄電池が載置可能な棚と、上記棚を収容し、上記棚に載置された上記蓄電池を外部に取り出し可能な取り出し空間を上記棚とともに規定する開口部が形成されたケーシングと、上記棚に載置される上記蓄電池の上記取り出し空間の一部または全部を閉鎖可能なカバーパネルとを備え、上記カバーパネルは、上記取り出し空間を開放した状態において、上記取り出し空間から上記収納装置の外部への方向に延伸し、かつ上記棚の載置面と略同一平面を形成する、収納装置における蓄電池交換方法であって、上記カバーパネルを操作して上記取り出し空間を開放するステップと、上記棚に載置された上記蓄電池を上記収納装置から取り出すステップとを含む。
【発明の効果】
【００１０】
本発明によれば、蓄電池の交換作業を容易に行うことができる。
【図面の簡単な説明】
【００１１】
【図１】図１は、本発明の実施の形態に係る蓄電システムの構成を示す図である。
【図２】図２は、本発明の実施の形態に係る電源装置の比較例の構成を示す図である。
【図３】図３は、本発明の実施の形態に係る電源装置の比較例を上から見た状態を示す断面図である。
【図４】図４は、本発明の実施の形態に係る電源装置の比較例において、扉の全閉時における扉取付け部周辺を拡大した断面を上から見た状態を示す断面図である。
【図５】図５は、本発明の実施の形態に係る電源装置の比較例において、扉の全開時における扉取付け部周辺を拡大した断面を上から見た状態を示す断面図である。
【図６】図６は、本発明の実施の形態に係る電源装置の正面図である。
【図７】図７は、本発明の実施の形態に係る電源装置の図６におけるＶＩＩ−ＶＩＩ線に沿う断面を示す断面図である。
【図８】図８は、本発明の実施の形態に係る電源装置を右側面側から見た斜視図である。
【図９】図９は、本発明の実施の形態に係る棚を蓄電池載置時に右側面側から見た斜視図である。
【図１０】図１０は、本発明の実施の形態に係る棚を蓄電池載置時に上側から見た平面図である。
【図１１】図１１は、本発明の実施の形態に係る棚の蓄電池載置時における正面図である。
【図１２】図１２は、本発明の実施の形態に係るサービスプラグにおいてサービスプラグ本体とサービスプラググリップとが係合した状態における電気的接続の一例を示す図である。
【図１３】図１３は、本発明の実施の形態に係るサービスプラグにおいてサービスプラグ本体とサービスプラググリップとの係合が解除された状態における電気的接続の一例を示す図である。
【図１４】図１４は、本発明の実施の形態に係る蓄電池の電気的接続の一例を示す図である。
【図１５】図１５は、本発明の実施の形態に係る電源装置において前側の扉の開放時における電源装置を上から見た状態を示す断面図である。
【図１６】図１６は、本発明の実施の形態に係る電源装置において蓄電池を交換する方法を定めたフローチャートである。
【発明を実施するための形態】
【００１２】
最初に、本発明の実施形態の内容を列記して説明する。
【００１３】
（１）本発明の実施の形態に係る収納装置は、蓄電池の収納装置であって、上記蓄電池を載置可能な棚と、上記棚を収容し、上記棚に載置された上記蓄電池を外部に取り出し可能な取り出し空間を上記棚とともに規定する開口部が形成されたケーシングと、上記棚に載置される上記蓄電池の上記取り出し空間の一部または全部を閉鎖可能なカバーパネルとを備え、上記カバーパネルは、上記取り出し空間を開放した状態において、上記取り出し空間から上記収納装置の外部への方向に延伸し、かつ上記棚の載置面と略同一平面を形成する。
【００１４】
このような構成により、カバーパネルを用いて棚の載置面を実質的に収納装置の外部側へ広げることができるので、棚に載置された蓄電池を持ち上げることなく収納装置の外部側へ移動させることができる。
【００１５】
これにより、収納装置の幅が狭い場合であっても、作業者が蓄電池の交換作業を行うための空間を確保することができるので、蓄電池の交換作業を容易に行うことができる。
【００１６】
また、たとえば、蓄電池の交換作業時以外において取り出し空間の一部または全部をカバーパネルで閉鎖することにより、作業者が不用意に蓄電池と接触してしまう機会を減少させることができる。
【００１７】
（２）好ましくは、上記収納装置は、さらに、上記カバーパネルの変位を制限可能であり、上記棚に載置された上記蓄電池と他の回路との電気的な接続経路の一部を形成する接続部材を備え、上記接続部材が上記カバーパネルの変位を制限している状態において、上記接続部材を含む上記接続経路が形成され、かつ上記カバーパネルは上記取り出し空間を閉鎖しており、上記接続部材が上記カバーパネルの制限を解除した状態において、上記接続経路は形成されず、かつ上記カバーパネルは上記取り出し空間を開放可能となる。
【００１８】
このように、接続部材がカバーパネルの制限を解除した状態において、上記接続経路が切断され、かつカバーパネルにより取り出し空間が開放可能となる構成により、取り出し空間を開放した状態において、棚に載置された蓄電池と他の回路との電気的な接続経路が切断された状態とすることできる。
【００１９】
これにより、作業者が蓄電池の交換作業を行う場合において、電気的な接続経路が確実に切断され、高電圧が発生していない状態とすることができるので、作業者が高電圧により感電してしまうことを回避することができる。
【００２０】
また、接続部材がカバーパネルの変位を制限している状態において、上記接続経路が導通し、かつカバーパネルにより取り出し空間が閉鎖されるので、高電圧が発生している状態において、作業者が不用意に蓄電池の端子等に接触してしまう機会を減少させることができる。これにより、作業者が高電圧により感電してしまうことを回避することができる。
【００２１】
（３）好ましくは、上記収納装置は、さらに、上記ケーシングに取り付けられ、上記ケーシングの開口部を閉鎖可能な扉を備え、上記扉の開放は、開放された上記扉と上記カバーパネルの延伸方向とのなす角が鋭角になるように制限されている。
【００２２】
このように、開放された扉とカバーパネルの延伸方向とのなす角が鋭角になるように制限されることにより、作業者が蓄電池の交換作業を行うための作業空間が制限される場合においても、取り出し空間を開放した状態において棚の載置面を実質的に収納装置の外部側へ広げることができるので、作業空間を実質的に広げることができる。
【００２３】
（４）好ましくは、上記取り出し空間を開放した状態において上記載置面と略同一平面を形成する上記カバーパネルの面の一部または全部の摩擦係数は、上記載置面の摩擦係数と比べて小さい。
【００２４】
このような構成により、取り出し空間を開放した状態において、重量物である蓄電池を載置面と略同一平面を形成するカバーパネルの面上で滑らせることができる。これにより、載置面と略同一平面を形成するカバーパネルの面上において蓄電池を容易に移動させることができるので、蓄電池の交換作業の効率を向上させることができる。
【００２５】
（５）好ましくは、上記取り出し空間を開放した状態において上記載置面と略同一平面を形成する上記カバーパネルの面の一部または全部の絶縁性は、上記載置面の絶縁性と比べて高い。
【００２６】
このような構成により、蓄電池が載置面上またはカバーパネルの面上にある状態において、蓄電池の端子間の絶縁をより確実にすることができるので、短絡および感電の発生を抑制することができる。
【００２７】
（６）好ましくは、上記カバーパネルのサイズは、上記取り出し空間を開放した状態において上記蓄電池を載置可能なサイズである。
【００２８】
このような構成により、棚の端部から収納装置の外部側へ蓄電池のサイズ以上蓄電池を移動させることができるので、作業者は、収納装置の外部側から蓄電池の交換作業を行うための空間を十分に確保することができ、蓄電池を容易に取り出すことができる。
【００２９】
（７）好ましくは、上記収納装置は、さらに、上記カバーパネルが上記取り出し空間を開閉可能となるように上記カバーパネルを変位させるための駆動部を備え、上記駆動部は、上記棚および上記カバーパネルに取り付けられている。
【００３０】
このような構成により、収納装置を製品として出荷する前に駆動部と棚およびカバーパネルとを一体化させることができるので、収納装置を現場で設置する際の組み立て性を向上させ、かつ棚の汎用性を向上させることができる。
【００３１】
（８）好ましくは、上記棚に載置された上記蓄電池の取り出しは、複数人で行うことが推奨されている。
【００３２】
このように、棚に載置された蓄電池の取り出しを複数人で行うことが推奨されている場合においても、取り出し空間を開放した状態において棚の載置面を実質的に収納装置の外部側へ広げることができるので、たとえば複数の作業者は、蓄電池の交換作業を容易に行うことができる。
【００３３】
（９）本発明の実施の形態に係る蓄電池交換方法は、蓄電池が載置可能な棚と、上記棚を収容し、上記棚に載置された上記蓄電池を外部に取り出し可能な取り出し空間を上記棚とともに規定する開口部が形成されたケーシングと、上記棚に載置される上記蓄電池の上記取り出し空間の一部または全部を閉鎖可能なカバーパネルとを備え、上記カバーパネルは、上記取り出し空間を開放した状態において、上記取り出し空間から上記収納装置の外部への方向に延伸し、かつ上記棚の載置面と略同一平面を形成する、収納装置における蓄電池交換方法であって、上記カバーパネルを操作して上記取り出し空間を開放するステップと、上記棚に載置された上記蓄電池を上記収納装置から取り出すステップとを含む。
【００３４】
このような構成により、カバーパネルを用いて棚の載置面を実質的に収納装置の外部側へ広げることができるので、棚に載置された蓄電池を持ち上げることなく収納装置の外部側へ移動させることができる。
【００３５】
これにより、収納装置の幅が狭い場合であっても、作業者が蓄電池の交換作業を行うための空間を確保することができるので、蓄電池の交換作業を容易に行うことができる。
【００３６】
また、たとえば、蓄電池の交換作業時以外において取り出し空間の一部または全部をカバーパネルで閉鎖することにより、作業者が不用意に蓄電池と接触してしまう機会を減少させることができる。
【００３７】
以下、本発明の実施の形態について図面を用いて説明する。なお、図中同一または相当部分には同一符号を付してその説明は繰り返さない。
【００３８】
［蓄電システム］
図１は、本発明の実施の形態に係る蓄電システムの構成を示す図である。
【００３９】
図１を参照して、蓄電システム４０１は、発電装置５１１と、パワーコンディショナ５１２と、負荷５１３と、ＢＭＳ（Battery Management System）５０１と、電源装置１０１とを備える。パワーコンディショナ５１２は、コンバータ回路５３１と、インバータ回路５３３と、双方向コンバータ回路５３４とを含む。電源装置１０１は、蓄電池Ｂ１１〜Ｂ１４，Ｂ２１〜Ｂ２４，Ｂ３１〜Ｂ３４，Ｂ４１〜Ｂ４４を含む。以下、蓄電池Ｂ１１〜Ｂ１４，Ｂ２１〜Ｂ２４，Ｂ３１〜Ｂ３４，Ｂ４１〜Ｂ４４の各々を蓄電池Ｂとも称する。
【００４０】
なお、図１では、１つの発電装置５１１を代表的に示しているが、複数の発電装置５１１が設けられてもよい。また、図１では、１つの電源装置１０１を代表的に示しているが、複数の電源装置１０１が設けられてもよい。また、図１では、１つの負荷５１３を代表的に示しているが、複数の負荷５１３が設けられてもよい。
【００４１】
蓄電システム４０１は、たとえば、発電電力が変動する太陽光発電等から出力されるエネルギーのバッファ、および停電対策のために用いられ、事業所等に設置される。
【００４２】
より詳細には、蓄電システム４０１における発電装置５１１は、たとえば太陽電池モジュール５１４を含む。太陽電池モジュール５１４は、たとえば、複数組の太陽電池パネルにより構成される。各組の太陽電池パネルは、たとえば、太陽光を受けると、受けた太陽光のエネルギーを直流電力に変換し、変換した直流電力をパワーコンディショナ５１２へ出力する。なお、発電装置５１１は、風力発電装置等の他の発電可能な装置であってもよい。
【００４３】
パワーコンディショナ５１２は、発電装置５１１から受けた電力を変換し、変換した電力を負荷５１３およびＢＭＳ５０１へ出力する。
【００４４】
より詳細には、パワーコンディショナ５１２におけるコンバータ回路５３１は、発電装置５１１と、インバータ回路５３３および双方向コンバータ回路５３４との間に接続されている。コンバータ回路５３１は、発電装置５１１から受ける直流電力すなわち直流電圧を昇圧し、昇圧した電圧をインバータ回路５３３および双方向コンバータ回路５３４へ出力する。
【００４５】
インバータ回路５３３は、コンバータ回路５３１および負荷５１３の間に接続されている。インバータ回路５３３は、コンバータ回路５３１から受けた直流電圧から交流電圧を生成し、生成した交流電圧を負荷５１３へ出力する。
【００４６】
負荷５１３は、たとえば、通信機器または監視カメラであり、インバータ回路５３３から受ける交流電圧により動作する。
【００４７】
双方向コンバータ回路５３４は、コンバータ回路５３１およびＢＭＳ５０１の間に接続されている。双方向コンバータ回路５３４は、たとえば、電源装置１０１における各蓄電池Ｂの電圧および温度を監視し、監視結果に基づいて各蓄電池Ｂの充放電制御を行う。
【００４８】
より詳細には、双方向コンバータ回路５３４は、各蓄電池Ｂを放電させている場合において、各蓄電池Ｂの電圧が復帰電圧値まで下がると、各蓄電池Ｂを充電する。この際、双方向コンバータ回路５３４は、コンバータ回路５３１から受ける直流電圧を昇圧または降圧することで、各蓄電池Ｂを充電することが可能な直流電圧を生成し、ＢＭＳ５０１経由で電源装置１０１へ出力する。
【００４９】
また、双方向コンバータ回路５３４は、各蓄電池Ｂを充電している場合において、各蓄電池Ｂの電圧が上限電圧値まで上がると、各蓄電池Ｂを放電させる。この際、双方向コンバータ回路５３４は、ＢＭＳ５０１経由で電源装置１０１から受ける直流電圧を昇圧または降圧し、インバータ回路５３３へ出力する。また、双方向コンバータ回路５３４は、たとえば、各蓄電池Ｂの温度に応じて復帰電圧値および上限電圧値を変更する。
【００５０】
ＢＭＳ５０１は、双方向コンバータ回路５３４および電源装置１０１の間に接続されている。ＢＭＳ５０１は、電源装置１０１における各蓄電池Ｂの電圧および温度を監視し、監視結果に基づいて各蓄電池Ｂの異常を検知する。
【００５１】
具体的には、ＢＭＳ５０１は、双方向コンバータ回路５３４および電源装置１０１間の電気的な接続および非接続をリレーにより切り替える。たとえば、ＢＭＳ５０１は、蓄電池Ｂ１１において異常が発生した場合、双方向コンバータ回路５３４および蓄電池Ｂ１１間を電気的に切断する。これにより、異常を示す蓄電池Ｂ１１を蓄電システム４０１から電気的に切り離すことが可能となる。
【００５２】
電源装置１０１における蓄電池Ｂは、双方向コンバータ回路５３４の制御に従い充電および放電を行う。蓄電池Ｂは、具体的には、たとえばリチウムイオン２次電池または鉛蓄電池である。蓄電池Ｂの重さは、十キログラムから百キログラム程度である。
【００５３】
蓄電池Ｂは、陽極と陰極とを有する。具体的には、蓄電池Ｂ１１〜Ｂ１４，Ｂ２１〜Ｂ２４，Ｂ３１〜Ｂ３４，Ｂ４１〜Ｂ４４は、それぞれ陽極ＴＰ１１〜ＴＰ１４，ＴＰ２１〜ＴＰ２４，ＴＰ３１〜ＴＰ３４，ＴＰ４１〜ＴＰ４４と、陰極ＴＭ１１〜ＴＭ１４，ＴＭ２１〜ＴＭ２４，ＴＭ３１〜ＴＭ３４，ＴＭ４１〜ＴＭ４４とを有する。
【００５４】
以下、陽極ＴＰ１１〜ＴＰ１４，ＴＰ２１〜ＴＰ２４，ＴＰ３１〜ＴＰ３４，ＴＰ４１〜ＴＰ４４の各々を陽極ＴＰとも称する。陰極ＴＭ１１〜ＴＭ１４，ＴＭ２１〜ＴＭ２４，ＴＭ３１〜ＴＭ３４，ＴＭ４１〜ＴＭ４４の各々を陰極ＴＭとも称する。
【００５５】
各蓄電池Ｂは、当該各蓄電池Ｂの陽極ＴＰおよび陰極ＴＭ間の電圧に応じて、パワーコンディショナ５１２における双方向コンバータ回路５３４から受ける直流電力を充電し、また、自己が蓄積するエネルギーを直流電力として双方向コンバータ回路５３４へ放電する。
【００５６】
［電源装置における問題点］
図２は、本発明の実施の形態に係る電源装置の比較例の構成を示す図である。
【００５７】
図２を参照して、電源装置１０１の比較例である電源装置９０１は、ケーシング９０２と、図示しない扉９０４ＦＷ，９０４ＦＥと、扉９０４ＲＷ，９０４ＲＥと、棚９２５Ｓ０〜９２５Ｓ５と、蓄電池Ｂ９１１〜Ｂ９１４，Ｂ９２１〜Ｂ９２４，Ｂ９３１〜Ｂ９３４，Ｂ９４１〜Ｂ９４４とを備える。以下、扉９０４ＦＷ，９０４ＦＥ，９０４ＲＷ，９０４ＲＥを扉９０４とも称する。棚９２５Ｓ０〜９２５Ｓ５の各々を棚９２５とも称する。蓄電池Ｂ９１１〜Ｂ９１４，Ｂ９２１〜Ｂ９２４，Ｂ９３１〜Ｂ９３４，Ｂ９４１〜Ｂ９４４の各々を蓄電池Ｂ９００とも称する。
【００５８】
棚９２５Ｓ１，９２５Ｓ２，９２５Ｓ３，９２５Ｓ４には、蓄電池Ｂ９１１〜Ｂ９１４，Ｂ９２１〜Ｂ９２４，Ｂ９３１〜Ｂ９３４，Ｂ９４１〜Ｂ９４４がそれぞれ載置される。ケーシング９０２は、水切り９０３Ｆ，９０３Ｒを含む。
【００５９】
なお、図２では、前側の扉９０４ＦＥ，９０４ＦＷがケーシング９０２から取り外された状態が示されている。
【００６０】
重量物である蓄電池Ｂ９００を備える電源装置９０１は、非常に重いため、たとえばコンクリートで形成された基礎Ｆ９０５の上に設置される。
【００６１】
たとえば、作業者が蓄電池Ｂ９００を交換する場合、ハンドリフタを使用し、かつ複数の作業者で交換作業を行うことにより、蓄電池Ｂ９００の交換作業を容易に行うことが可能となる。
【００６２】
しかしながら、図２に示すように、たとえば電源装置９０１が基礎Ｆ９０５の上に設置される場合、電源装置９０１の前側からハンドリフタ９５１を接近させてもハンドリフタ９５１の脚部９５３が基礎Ｆ９０５と干渉するため、フォーク部９５２の先端を蓄電池Ｂ９００の近傍まで届かせることが困難である。また、フォーク部９５２をさらに延長させることも考えられるが、ハンドリフタ９５１がバランスを崩して転倒する場合もある。
【００６３】
たとえば、基礎Ｆ９０５が無い場合、ハンドリフタ９５１を用いて蓄電池Ｂ９００の交換を容易に行うことができる。しかしながら、電源装置９０１が建造物の屋上および山頂等の高所、狭所ならびに交通不便な場所等に設置される場合、蓄電池Ｂ９００の交換のためにハンドリフタ９５１を電源装置９０１の設置場所へ持ち込むことが困難である。この場合、蓄電池Ｂ９００の交換は、作業員の手作業により行われる。そして、棚９２５に載置された蓄電池Ｂ９００の取り出しは、複数の作業者で行うことが推奨されている。
【００６４】
図３は、本発明の実施の形態に係る電源装置の比較例を上から見た状態を示す断面図である。
【００６５】
図３は、前側の扉９０４ＦＷ，９０４ＦＥがケーシング９０２に取り付けられた状態を示している。作業者ＷＭ１は、たとえば棚９２５Ｓ１に載置された蓄電池Ｂ９１１〜Ｂ９１４を電源装置９０１の前側から交換する際、ケーシング９０２の開口部から蓄電池Ｂ９１１〜Ｂ９１４を取り出す。
【００６６】
ケーシング９０２の開口部の幅は、たとえば扉９０４ＦＷ，９０４ＦＥにより規定される。ケーシング９０２の開口部の幅が、たとえば作業者ＷＭ１の肩幅の２倍以下である場合、複数の作業者で蓄電池の交換作業を行うことが困難である。
【００６７】
図４は、本発明の実施の形態に係る電源装置の比較例において、扉の全閉時における扉取付け部周辺を拡大した断面を上から見た状態を示す断面図である。
【００６８】
図４を参照して、ケーシング９０２における水切り９０３Ｆには、本体側蝶番９０７ＦＥが固定されている。また、前側の扉９０４ＦＥには、扉側蝶番９０６ＦＥが固定されている。本体側蝶番９０７ＦＥおよび扉側蝶番９０６ＦＥは、軸Ｒ９０９ＦＥを回転軸として相対回転が可能である。
【００６９】
扉９０４ＦＥには、パッキン９０８ＦＥが取り付けられている。パッキン９０８ＦＥは、扉９０４ＦＥの全閉時において、扉９０４ＦＥと水切り９０３Ｆとの間をシールする。
【００７０】
図５は、本発明の実施の形態に係る電源装置の比較例において、扉の全開時における扉取付け部周辺を拡大した断面を上から見た状態を示す断面図である。
【００７１】
図５を参照して、図４に示す全閉時における扉９０４ＦＥは、軸Ｒ９０９ＦＥを回転軸として角度α回転することにより、図５に示すような全開時の状態となる。しかしながら、図５の領域Ｒｇ１に示すように、扉９０４ＦＥと、水切り９０３Ｆまたは本体側蝶番９０７ＦＥとが干渉することにより、扉９０４ＦＥの開く角度αが制限される。具体的には、角度αは、たとえば１３５度を超えない。なお、扉９０４ＦＷ，９０４ＲＷ，９０４ＲＥの開く角度も、扉９０４ＦＥの開く角度αと同様に制限される。
【００７２】
再び図３を参照して、扉９０４ＦＷ，９０４ＦＥの開く角度αが制限されるため、扉９０４ＦＷ，９０４ＦＥの前側すなわち回転軸の反対側の端部間の幅は、幅Ｗｒ以下に制限される。このため、扉９０４ＦＷ，９０４ＦＥ間の空間において複数の作業者が蓄電池の交換作業を行うことが困難となる。特に、ケーシング９０２の底面積が小さい場合には、扉９０４ＦＷ，９０４ＦＥ間の空間がより制限されるので、複数の作業者による蓄電池の交換作業がさらに困難となる。
【００７３】
このため、重量物である蓄電池Ｂを作業者が１人で持ち上げなければならないため、蓄電池の交換作業が困難となる。また、使用可能な蓄電池が重量により制限される場合がある。
【００７４】
これに対して、本発明の実施の形態に係る収納装置では、以下のような構成および方法により、上記問題を解決する。
【００７５】
［電源装置の構成］
図６は、本発明の実施の形態に係る電源装置の正面図である。
図７は、本発明の実施の形態に係る電源装置の図６におけるＶＩＩ−ＶＩＩ線に沿う断面を示す断面図である。
図８は、本発明の実施の形態に係る電源装置を右側面側から見た斜視図である。
【００７６】
図６を参照して、電源装置１０１は、収納装置１６１と、蓄電池Ｂ１１〜Ｂ１４，Ｂ２１〜Ｂ２４，Ｂ３１〜Ｂ３４，Ｂ４１〜Ｂ４４とを備える。収納装置１６１は、各部材を収容するケーシング１０２と、図示しないが図３に示す比較例における扉９０４と同様の扉１０４ＦＷ，１０４ＦＥ，１０４ＲＷ，１０４ＲＥと、支柱１１１ＦＷ，１１１ＦＥと、棚１２１Ｓ０〜１２１Ｓ５と、カバーパネル蝶番（駆動部）１３５ＦＷ１〜１３５ＦＷ４，１３５ＦＥ１〜１３５ＦＥ４と、サービスプラグ（接続部材）１４１ＦＷ１〜１４１ＦＷ４，１４１ＦＥ１〜１４１ＦＥ４と、汎用板２０１Ｆ０〜２０１Ｆ４とを備える。また、収納装置１６１は、その後側に、図示しない支柱１１１ＲＷ，１１１ＲＥと、カバーパネル蝶番（駆動部）１３５ＲＷ１〜１３５ＲＷ４，１３５ＲＥ１〜１３５ＲＥ４と、サービスプラグ（接続部材）１４１ＲＷ１〜１４１ＲＷ４，１４１ＲＥ１〜１４１ＲＥ４と、汎用板２０１Ｒ０〜２０１Ｒ４とを備える。
【００７７】
以下、扉１０４ＦＷ，１０４ＦＥ，１０４ＲＷ，１０４ＲＥの各々を扉１０４とも称する。支柱１１１ＦＷ，１１１ＦＥ，１１１ＲＷ，１１１ＲＥの各々を支柱１１１とも称する。棚１２１Ｓ０〜１２１Ｓ５の各々を棚１２１とも称する。カバーパネル蝶番１３５ＦＷ１〜１３５ＦＷ４，１３５ＦＥ１〜１３５ＦＥ４，１３５ＲＷ１〜１３５ＲＷ４，１３５ＲＥ１〜１３５ＲＥ４の各々をカバーパネル蝶番１３５とも称する。サービスプラグ１４１ＦＷ１〜１４１ＦＷ４，１４１ＦＥ１〜１４１ＦＥ４，１４１ＲＷ１〜１４１ＲＷ４，１４１ＲＥ１〜１４１ＲＥ４の各々をサービスプラグ１４１とも称する。汎用板２０１Ｆ０〜２０１Ｆ４，２０１Ｒ０〜２０１Ｒ４の各々を汎用板２０１とも称する。
【００７８】
サービスプラグ１４１は、サービスプラグ本体１４２と、サービスプラググリップ１４３とを含む。なお、図６〜図８には、サービスプラグ１４１ＦＷ２，１４１ＦＥ２，１４１ＦＷ４，１４１ＦＥ４，１４１ＲＷ２，１４１ＲＥ２，１４１ＲＷ４，１４１ＲＥ４におけるサービスプラググリップ１４３が取り外された状態が示されている。
【００７９】
図７では、紙面に対して奥側が収納装置１６１の左側に相当し、また、紙面に対して手前側が収納装置１６１の右側に相当する。図７を参照して、収納装置１６１は、その前側に、カバーパネル１３１Ｆ１〜１３１Ｆ４を備える。収納装置１６１は、その後側に、カバーパネル１３１Ｒ１〜１３１Ｒ４を備える。収納装置１６１は、その左側に、ステー（駆動部）１５１ＦＷ１〜１５１ＦＷ４，１５１ＲＷ１〜１５１ＲＷ４と、亘り板２２４Ｗ０〜２２４Ｗ５とを備える。また、収納装置１６１は、その右側に、図示しない、ステー（駆動部）１５１ＦＥ１〜１５１ＦＥ４，１５１ＲＥ１〜１５１ＲＥ４と、亘り板２２４Ｅ０〜２２４Ｅ５とを備える。
【００８０】
以下、カバーパネル１３１Ｆ１〜１３１Ｆ４，１３１Ｒ１〜１３１Ｒ４の各々をカバーパネル１３１とも称する。ステー１５１ＦＷ１〜１５１ＦＷ４，１５１ＲＷ１〜１５１ＲＷ４，１５１ＦＥ１〜１５１ＦＥ４，１５１ＲＥ１〜１５１ＲＥ４の各々をステー１５１とも称する。亘り板２２４Ｅ０〜２２４Ｅ５，２２４Ｗ０〜２２４Ｗ５の各々を亘り板２２４とも称する。
【００８１】
図８を参照して、カバーパネル１３１Ｆ２および１３１Ｆ４は、それぞれ切欠き部１３３ＦＷ２，１３３ＦＥ２および１３３ＦＷ４，１３３ＦＥ４を含む。カバーパネル１３１Ｆ１および１３１Ｆ３は、それぞれ図示しない切欠き部１３３ＦＷ１，１３３ＦＥ１および１３３ＦＷ３，１３３ＦＥ３を含む。図示しない後側のカバーパネル１３１Ｒ１〜１３１Ｒ４は、それぞれ切欠き部１３３ＲＷ１〜１３３ＲＷ４，１３３ＲＥ１〜１３３ＲＥ４を含む。
【００８２】
以下、切欠き部１３３ＦＷ１〜１３３ＦＷ４，１３３ＦＥ１〜１３３ＦＥ４，１３３ＲＷ１〜１３３ＲＷ４，１３３ＲＥ１〜１３３ＲＥ４の各々を切欠き部１３３とも称する。
【００８３】
図６〜図８を参照して、ケーシング１０２は、たとえば、蓄電池Ｂ、支柱１１１および複数の棚１２１を収容し、具体的には屋外型防水タイプのキュービクルである。ケーシング１０２は、天板２２１と、天板２２１から下方へ延びる側板２２２Ｅ，２２２Ｗと、天板２２１から下方へ延びかつ開口部を有する側板２２２Ｆ，２２２Ｒと、側板２２２Ｅ，２２２Ｗ，２２２Ｆ，２２２Ｒ間に亘って延びる底板２２３とを含む。
【００８４】
ケーシング１０２における前側の側板２２２Ｆおよび後側の側板２２２Ｒは、たとえば、外部からの異物、動物および水等の侵入を防止することを目的として、それぞれ水切り１０３Ｆ，１０３Ｒを有する。側板２２２Ｆ，２２２Ｒは、水切り１０３Ｆ，１０３Ｒとそれぞれ連続する。以下、水切り１０３Ｆ，１０３Ｒの各々を水切り１０３とも称する。
【００８５】
ケーシング１０２では、側板２２２Ｆの水切り１０３Ｆにより囲まれた開口部３０１Ｆが形成され、側板２２２Ｒの水切り１０３Ｒにより囲まれた開口部３０１Ｒが形成される。以下、開口部３０１Ｆ，３０１Ｒの各々を開口部３０１とも称する。
【００８６】
なお、ケーシング１０２の開口部は、たとえば、収納装置１６１の前側および後側のいずれか一方にのみ形成されてもよい。また、ケーシング１０２の開口部は、たとえば、収納装置１６１の右側および左側の少なくとも一方において形成されてもよい。
【００８７】
支柱１１１は、ケーシング１０２の内部において、側板２２２Ｅ，２２２Ｗ，２２２Ｆ，２２２Ｒと略平行に配置される。支柱１１１は、具体的には１９インチラックの支柱である。支柱１１１は、たとえば、中空の角材またはＬ字型のアングル材から形成される。支柱１１１の下端は、たとえば底板２２３に固定される。
【００８８】
亘り板２２４は、棚１２１の支持および各支柱１１１間の補強のために設けられ、各支柱１１１間に亘って固定される。具体的には、亘り板２２４Ｅ０〜２２４Ｅ５は、支柱１１１ＦＥ，１１１ＲＥ間に亘って固定されている。亘り板２２４Ｗ０〜２２４Ｗ５は、支柱１１１ＦＷ，１１１ＲＷ間に亘って固定されている。
【００８９】
より詳細には、支柱１１１に亘り板２２４を固定する位置は調整可能である。亘り板２２４は、少なくとも上面が底板２２３と略平行になるように支柱１１１に固定される。また、亘り板２２４Ｅ０〜２２４Ｅ５と、亘り板２２４Ｗ０〜２２４Ｗ５とは、それぞれ略同じ高さ位置となるように、支柱１１１に固定される。
【００９０】
亘り板２２４Ｅ０〜２２４Ｅ５の上面および亘り板２２４Ｗ０〜２２４Ｗ５の上面には、それぞれ棚固定部材２２５ＦＥ０〜２２５ＦＥ５，２２５ＲＥ０〜２２５ＲＥ５および棚固定部材２２５ＦＷ０〜２２５ＦＷ５，２２５ＲＷ０〜２２５ＲＷ５により棚１２１Ｓ０〜１２１Ｓ５が固定される。
【００９１】
棚固定部材２２５ＦＥ０〜２２５ＦＥ５，２２５ＲＥ０〜２２５ＲＥ５，２２５ＦＷ０〜２２５ＦＷ５，２２５ＲＷ０〜２２５ＲＷ５は、たとえばおねじである。
【００９２】
棚１２１は、たとえば１９インチラックの棚である。棚１２１の上面には蓄電池Ｂを載置することが可能である。具体的には、棚１２１Ｓ１には、蓄電池Ｂ１１〜Ｂ１４が載置される。棚１２１Ｓ２には、蓄電池Ｂ２１〜Ｂ２４が載置される。棚１２１Ｓ３には、蓄電池Ｂ３１〜Ｂ３４が載置される。棚１２１Ｓ４には、蓄電池Ｂ４１〜Ｂ４４が載置される。蓄電池Ｂは、たとえばベルトまたはネジにより棚１２１に固定される。また、蓄電池Ｂの形状は直方体である。なお、蓄電池Ｂの形状は直方体に限定するものではなく、たとえば、立方体であってもよいし、丸型であってもよい。
【００９３】
また、各棚１２１において、各蓄電池Ｂは、陰極ＴＭ，陽極ＴＰが開口部３０１に近くなる向きで配置される。具体的には、蓄電池Ｂ２３，Ｂ２４は、棚１２１Ｓ２において、図６に示すように陽極ＴＰ２３，陰極ＴＭ２３，陽極ＴＰ２４，陰極ＴＭ２４が開口部３０１Ｆに近くなる向きで配置される。また、蓄電池Ｂ２１，Ｂ２２は、棚１２１Ｓ２において、陽極ＴＰ２１，陰極ＴＭ２１，陽極ＴＰ２２，陰極ＴＭ２２が開口部３０１Ｒに近くなる向きで配置される。蓄電池Ｂ１１〜Ｂ１４，Ｂ３１〜Ｂ３４，Ｂ４１〜Ｂ４４の配置についても、蓄電池Ｂ２１〜Ｂ２４と同様である。
【００９４】
棚１２１Ｓ０〜１２１Ｓ４には、それぞれ汎用板２０１Ｆ０〜２０１Ｆ４，２１２Ｒ０〜２０１Ｒ４が固定される。具体的には、棚１２１Ｓ０、１２１Ｓ１、１２１Ｓ２，１２１Ｓ３および１２１Ｓ４の前面には、それぞれ、汎用板固定ねじ２０２Ｆ０１〜２０２Ｆ０４、２０２Ｆ１１〜２０２Ｆ１４、２０２Ｆ２１〜２０２Ｆ２４、２０２Ｆ３１〜２０２Ｆ３４および２０２Ｆ４１〜２０２Ｆ４４により、汎用板２０１Ｆ０、２０１Ｆ１、２０１Ｆ２、２０１Ｆ３および２０１Ｆ４が固定される。
【００９５】
棚１２１Ｓ０、１２１Ｓ１、１２１Ｓ２，１２１Ｓ３および１２１Ｓ４の後面には、それぞれ、汎用板固定ねじ２０２Ｒ０１〜２０２Ｒ０４、２０２Ｒ１１〜２０２Ｒ１４、２０２Ｒ２１〜２０２Ｒ２４、２０２Ｒ３１〜２０２Ｒ３４および２０２Ｒ４１〜２０２Ｒ４４により、汎用板２０１Ｒ０、２０１Ｒ１、２０１Ｒ２、２０１Ｒ３および２０１Ｒ４が固定される。
【００９６】
各棚１２１は、たとえば蓄電池Ｂを収容可能な間隔を隔てて設けられる。具体的には、棚１２１Ｓ１の上面と汎用板２０１Ｆ０，２０１Ｒ０の下面との間隔は、たとえば、亘り板２２４Ｅ０，２２４Ｗ０または亘り板２２４Ｅ１，２２４Ｗ１の高さ位置を調整することにより、蓄電池Ｂ１１〜Ｂ１４の高さより大きくする。これにより、棚１２１Ｓ１の上面において、蓄電池Ｂ１１〜Ｂ１４を収容することが可能となる。
【００９７】
棚１２１Ｓ２の上面と汎用板２０１Ｆ１，２０１Ｒ１の下面との間隔は、たとえば、亘り板２２４Ｅ１，２２４Ｗ１または亘り板２２４Ｅ２，２２４Ｗ２の高さ位置を調整することにより、蓄電池Ｂ２１〜Ｂ２４の高さより大きくする。これにより、棚１２１Ｓ２の上面において、蓄電池Ｂ２１〜Ｂ２４を収容することが可能となる。
【００９８】
棚１２１Ｓ３の上面と汎用板２０１Ｆ２，２０１Ｒ２の下面との間隔は、たとえば、亘り板２２４Ｅ２，２２４Ｗ２または亘り板２２４Ｅ３，２２４Ｗ３の高さ位置を調整することにより、蓄電池Ｂ３１〜Ｂ３４の高さより大きくする。これにより、棚１２１Ｓ３の上面において、蓄電池Ｂ３１〜Ｂ３４を収容することが可能となる。
【００９９】
棚１２１Ｓ４の上面と汎用板２０１Ｆ３，２０１Ｒ３の下面との間隔は、たとえば、亘り板２２４Ｅ３，２２４Ｗ３または亘り板２２４Ｅ４，２２４Ｗ４の高さ位置を調整することにより、蓄電池Ｂ４１〜Ｂ４４の高さより大きくする。これにより、棚１２１Ｓ４の上面において、蓄電池Ｂ４１〜Ｂ４４を収容することが可能となる。
【０１００】
たとえば、棚１２１に載置された蓄電池Ｂをケーシング１０２の外部へ取り出すための取り出し空間は、ケーシング１０２の開口部３０１および棚１２１により規定される。
【０１０１】
具体的には、図７に示すように、取り出し空間３１１Ｕ１は、ケーシング１０２の開口部３０１Ｆ，３０１Ｒおよび棚１２１Ｓ０，１２１Ｓ１により規定される。図６〜図８に示す収納装置１６１では、取り出し空間３１１Ｕ１はカバーパネル１３１Ｆ１，１３１Ｒ１により全部閉鎖されている。
【０１０２】
取り出し空間３１１Ｕ２は、ケーシング１０２の開口部３０１Ｆ，３０１Ｒおよび棚１２１Ｓ１，１２１Ｓ２により規定される。図６〜図８に示す収納装置１６１では、取り出し空間３１１Ｕ２は開放されている。
【０１０３】
取り出し空間３１１Ｕ３は、ケーシング１０２の開口部３０１Ｆ，３０１Ｒおよび棚１２１Ｓ２，１２１Ｓ３により規定される。図６〜図８に示す収納装置１６１では、取り出し空間３１１Ｕ３はカバーパネル１３１Ｆ３，１３１Ｒ３により全部閉鎖されている。
【０１０４】
取り出し空間３１１Ｕ４は、ケーシング１０２の開口部３０１Ｆ，３０１Ｒおよび棚１２１Ｓ３，１２１Ｓ４により規定される。図６〜図８に示す収納装置１６１では、取り出し空間３１１Ｕ４は開放されている。
【０１０５】
以下、取り出し空間３１１Ｕ１，３１１Ｕ２，３１１Ｕ３，３１１Ｕ４の各々を取り出し空間３１１とも称する。
【０１０６】
カバーパネル１３１は、たとえば、蓄電池Ｂを載置する棚１２１に対応して収納装置１６１の前側および後側に設けられる。なお、カバーパネル１３１は、たとえば、蓄電池Ｂを載置しない棚１２１に対応して設けられてもよい。
【０１０７】
具体的には、カバーパネル１３１Ｆ１〜１３１Ｆ４は、それぞれ棚１２１Ｓ１〜１２１Ｓ４に対応して設けられる。また、カバーパネル１３１Ｒ１〜１３１Ｒ４は、それぞれ棚１２１Ｓ１〜１２１Ｓ４に対応して設けられる。
【０１０８】
カバーパネル１３１は、対応の棚１２１に載置される蓄電池の取り出し空間３１１Ｕを開閉可能である。
【０１０９】
［棚の構成］
図９は、本発明の実施の形態に係る棚を蓄電池載置時に右側面側から見た斜視図である。
図１０は、本発明の実施の形態に係る棚を蓄電池載置時に上側から見た平面図である。
図１１は、本発明の実施の形態に係る棚の蓄電池載置時における正面図である。
【０１１０】
図９〜図１１には、カバーパネル１３１Ｆ１，１３１Ｒ１が全開した状態の棚１２１Ｓ１が代表的に示されている。棚１２１Ｓ２〜１２１Ｓ４についても図９〜図１１に示す棚１２１Ｓ１と同様である。
【０１１１】
棚１２１Ｓ１とカバーパネル１３１Ｆ１とは、カバーパネル蝶番１３５ＦＷ１，１３５ＦＥ１により連結される。カバーパネル蝶番１３５ＦＷ１，１３５ＦＥ１は、それぞれ軸１３５ＦＷ１Ｒ，１３５ＦＥ１Ｒを有する。
【０１１２】
同様に、棚１２１Ｓ１とカバーパネル１３１Ｒ１とは、カバーパネル蝶番１３５ＲＷ１，１３５ＲＥ１により連結される。カバーパネル蝶番１３５ＲＷ１，１３５ＲＥ１は、それぞれ軸１３５ＲＷ１Ｒ，１３５ＲＥ１Ｒを有する。
【０１１３】
図７に示すように、カバーパネル１３１Ｆ１，１３１Ｒ１は、全閉時の状態において取り出し空間３１１Ｕ１を全部閉鎖する。カバーパネル１３１Ｆ１は、全閉時の状態から軸１３５ＦＷ１Ｒ，１３５ＦＥ１Ｒを回転軸として略９０度回転することにより、図９に示すように、取り出し空間３１１Ｕ１から収納装置１６１の外部への方向に延伸し、棚１２１Ｓ１の上面とカバーパネル１３１Ｆ１の上面とが略同一平面を形成する全開時の状態となる。以下、棚１２１の上面を載置面１２２とも称する。また、全開時の状態におけるカバーパネル１３１の上面および下面をそれぞれ作業面１３６および非作業面とも称する。カバーパネル１３１Ｆ１は、全開時の状態において取り出し空間３１１Ｕ１を開放する。
【０１１４】
同様に、カバーパネル１３１Ｒ１は、全閉時の状態から軸１３５ＲＷ１Ｒ，１３５ＲＥ１Ｒを回転軸として略９０度回転することにより、図９に示すように、取り出し空間３１１Ｕ１から収納装置１６１の外部への方向に延伸し、棚１２１Ｓ１における載置面１２２とカバーパネル１３１Ｒ１における作業面１３６とが略同一平面を形成する全開時の状態となる。カバーパネル１３１Ｒ１は、全開時の状態において取り出し空間３１１Ｕ１を開放する。
【０１１５】
ステー１５１は、カバーパネル１３１および棚１２１に対応して設けられる。具体的には、ステー１５１ＦＷ１，１５１ＦＥ１は、カバーパネル１３１Ｆ１および棚１２１Ｓ１に設けられる。また、ステー１５１ＲＷ１，１５１ＲＥ１は、カバーパネル１３１Ｒ１および棚１２１Ｓ１に設けられる。
【０１１６】
より詳細には、ステー１５１ＦＷ１，１５１ＦＥ１は、カバーパネル１３１Ｆ１に固定された第１端と、棚１２１Ｓ１に固定された第２端とを有する。ステー１５１ＲＷ１，１５１ＲＥ１は、カバーパネル１３１Ｒ１に固定された第１端と、棚１２１Ｓ１に固定された第２端とを有する。
【０１１７】
ステー１５１ＦＷ１，１５１ＦＥ１および１５１ＲＷ１，１５１ＲＥ１は、それぞれカバーパネル１３１Ｆ１および１３１Ｒ１の全開時の状態を保持する。また、ステー１５１ＦＷ１，１５１ＦＥ１および１５１ＲＷ１，１５１ＲＥ１は、それぞれ折れ曲がることによりカバーパネル１３１Ｆ１および１３１Ｒ１の全開時の状態から全閉時の状態への遷移を円滑にする。
【０１１８】
カバーパネル１３１、ステー１５１およびカバーパネル蝶番１３５は蓄電池Ｂの重量を支えるだけの耐荷重を少なくとも有する。これにより、カバーパネル１３１が全開時の状態において、蓄電池Ｂをカバーパネル１３１の作業面１３６に安定に置くことができる。
【０１１９】
ステー１５１ＦＷ１および１５１ＦＥ１の第１端は、たとえば、カバーパネル１３１Ｆ１の作業面１３６であってカバーパネル１３１Ｆ１の左側端部の近傍および右側端部の近傍にそれぞれ固定される。また、ステー１５１ＦＷ１および１５１ＦＥ１の第２端は、たとえば、棚１２１Ｓ１の左側前端部の近傍および右側前端部の近傍にそれぞれ固定される。
【０１２０】
また、ステー１５１ＲＷ１および１５１ＲＥ１の第１端は、たとえば、カバーパネル１３１Ｒ１の作業面１３６であってカバーパネル１３１Ｒ１の左側端部の近傍および右側端部の近傍にそれぞれ固定される。また、ステー１５１ＲＷ１および１５１ＲＥ１の第２端は、たとえば、棚１２１Ｓ１の左側後端部の近傍および右側後端部の近傍にそれぞれ固定される。
【０１２１】
ステー１５１ＦＷ１の第１端とステー１５１ＦＥ１の第１端との距離、およびステー１５１ＦＷ１の第２端とステー１５１ＦＥ１の第２端との距離は、たとえば、棚１２１Ｓ１に載置された蓄電池Ｂ１３，Ｂ１４の左右方向の長さの和より大きい。
【０１２２】
このような構成により、カバーパネル１３１Ｆ１の全開時において、棚１２１Ｓ１の載置面１２２とカバーパネル１３１Ｆ１の作業面１３６とで形成される平面上で蓄電池Ｂ１３，Ｂ１４を移動させる際の収納装置１６１の前側における作業性を向上させることができる。
【０１２３】
同様に、ステー１５１ＲＷ１の第１端とステー１５１ＲＥ１の第１端との距離、およびステー１５１ＲＷ１の第２端とステー１５１ＲＥ１の第２端との距離は、たとえば、棚１２１Ｓ１に載置された蓄電池Ｂ１１，Ｂ１２の左右方向の長さの和より大きい。
【０１２４】
このような構成により、カバーパネル１３１Ｒ１の全開時において、棚１２１Ｓ１の載置面１２２とカバーパネル１３１Ｒ１の作業面１３６とで形成される平面上で蓄電池Ｂ１１、Ｂ１２を移動させる際の収納装置１６１の後側における作業性を向上させることができる。
【０１２５】
たとえば、棚１２１において蓄電池Ｂを固定するための載置面１２２の摩擦係数が低すぎることは好ましくない。一方、カバーパネル１３１において蓄電池Ｂを移動させるための作業面１３６の摩擦係数は低い方が好ましい。そこで、収納装置１６１では、たとえば、カバーパネル１３１の作業面１３６の一部または全部の摩擦係数が、棚１２１において蓄電池Ｂを載置する載置面１２２の摩擦係数より小さくなるような部材が用いられる。
【０１２６】
また、たとえば、カバーパネル１３１の作業面１３６の一部または全部の絶縁性が、棚１２１における載置面１２２の絶縁性より高くなるような部材が用いられる。
【０１２７】
具体的には、カバーパネル１３１Ｆ１〜１３１Ｆ４，１３１Ｒ１〜１３１Ｒ４の作業面１３６には、たとえば、摩擦係数が小さく、かつ比抵抗の高い樹脂材１３２Ｆ１〜１３２Ｆ４，１３２Ｒ１〜１３２Ｒ４がそれぞれ略全面に貼り付けられる。以下、樹脂材１３２Ｆ１〜１３２Ｆ４，１３２Ｒ１〜１３２Ｒ４の各々を樹脂材１３２とも称する。樹脂材１３２は、アクリルまたはポリカーボネート等の摺動性および絶縁性を有する樹脂である。
【０１２８】
このように、摩擦係数が低い樹脂材１３２を用いる構成により、カバーパネル１３１の全開時において、重量物である蓄電池Ｂを樹脂材１３２上で滑らせることができる。これにより、蓄電池を載置する台車等の特別な装置を用いることなく、蓄電池Ｂを樹脂材１３２上において容易に移動させることができる。
【０１２９】
また、絶縁体である樹脂材１３２を用いる構成により、絶縁をより確実にすることができるので、短絡および感電の発生を抑制することができる。具体的には、たとえば、取り出し空間３１１を閉鎖した状態において、蓄電池Ｂの陽極ＴＰ，陰極ＴＭの近傍に絶縁体である樹脂材１３２が配置されるので、地震等による振動で蓄電池Ｂが転倒する場合においても、短絡および感電の発生を抑制することができる。
【０１３０】
また、たとえば、取り出し空間３１１を開放した状態において、蓄電池Ｂの陽極ＴＰまたは陰極ＴＭから接続ケーブルを取り外す際に導通部が誤って作業面１３６に接触する場合等においても、短絡および感電の発生を抑制することができる。
【０１３１】
なお、カバーパネル１３１の作業面１３６の一部に樹脂材１３２が貼り付けられてもよい。作業面１３６の一部とは、具体的には、蓄電池Ｂが樹脂材１３２上を移動可能な程度の領域であればよい。
【０１３２】
また、たとえば、駆動部であるステー１５１およびカバーパネル蝶番１３５は、たとえば、収納装置１６１が工場から製品として出荷される前に棚１２１およびカバーパネル１３１に固定される。
【０１３３】
このような構成により、駆動部と棚１２１およびカバーパネル１３１とを製品として出荷する前に一体化させることができるので、収納装置１６１を現場で設置する際の組み立て性を向上させ、かつ棚１２１の汎用性を向上させることができる。
【０１３４】
なお、本発明の実施の形態に係る収納装置１６１では、カバーパネル１３１は、その下側が棚１２１と連結して収納装置１６１の外部方向へ延伸する構成であるとしたが、これに限定するものではない。カバーパネル１３１は、たとえば、その上側が棚１２１と連結して収納装置１６１の外部方向へ延伸する構成であってもよい。
【０１３５】
すなわち、カバーパネル１３１は、取り出し空間３１１を開放した状態において、閉鎖の対象とする取り出し空間３１１を規定する棚１２１のうち上側の棚１２１における載置面１２２と略同一平面を形成する。この場合、カバーパネル１３１が開閉する取り出し空間３１１に含まれる蓄電池Ｂと、当該カバーパネル１３１の作業面１３６上へ移動させる対象の蓄電池Ｂとは異なることになる。
【０１３６】
再び図６〜図８を参照して、サービスプラグ１４１は、たとえば、蓄電池Ｂを載置する棚１２１に対応して設けられる。サービスプラグ１４１におけるサービスプラグ本体１４２とサービスプラググリップ１４３とは、たとえば脱着可能である。サービスプラグ１４１は、たとえば、対応の棚１２１に載置された蓄電池Ｂと他の蓄電池ＢまたはＢＭＳ５０１との電気的な接続経路の一部を形成する。
【０１３７】
サービスプラグ本体１４２は、たとえば、対応のサービスプラググリップ１４３と係合可能となるように、対応の棚１２１に固定された汎用板２０１に固定される。
【０１３８】
そして、サービスプラグ本体１４２は、たとえば、対応のサービスプラググリップ１４３と当該サービスプラグ本体１４２とでカバーパネル１３１の一部を挟みながら対応のサービスプラググリップ１４３と係合することにより、カバーパネル１３１の変位を制限すなわち固定する。
【０１３９】
具体的には、サービスプラグ１４１ＦＷ１，１４１ＦＥ１のサービスプラグ本体１４２は、それぞれ対応のサービスプラググリップ１４３と係合可能となるように、棚１２１Ｓ０の前面に固定された汎用板２０１Ｆ０に固定される。
【０１４０】
そして、サービスプラグ１４１ＦＷ１，１４１ＦＥ１のサービスプラグ本体１４２は、それぞれカバーパネル１３１Ｆ１における切欠き部１３３ＦＷ１，１３３ＦＥ１を挟みながら対応のサービスプラググリップ１４３と係合することにより、カバーパネル１３１Ｆ１を固定する。この際、カバーパネル１３１Ｆ１により取り出し空間３１１Ｕ１は閉鎖される。
【０１４１】
同様に、サービスプラグ１４１ＲＷ１，１４１ＲＥ１のサービスプラグ本体１４２は、それぞれ対応のサービスプラググリップ１４３と係合可能となるように、棚１２１Ｓ０の後面に固定された汎用板２０１Ｒ０に固定される。
【０１４２】
そして、サービスプラグ１４１ＲＷ１，１４１ＲＥ１のサービスプラグ本体１４２は、それぞれカバーパネル１３１Ｒ１における切欠き部１３３ＲＷ１，１３３ＲＥ１を挟みながら対応のサービスプラググリップ１４３と係合することにより、カバーパネル１３１Ｒ１を固定する。この際、カバーパネル１３１Ｒ１により取り出し空間３１１Ｕ１は閉鎖される。
【０１４３】
すなわち、たとえば、サービスプラグ１４１におけるサービスプラグ本体１４２が切欠き部１３３を挟みながら対応のサービスプラググリップ１４３と係合する場合において、サービスプラグ１４１は、対応のカバーパネル１３１により取り出し空間３１１を閉鎖させた状態で、当該カバーパネル１３１の変位を制限する。
【０１４４】
たとえば、サービスプラグ１４１において、サービスプラグ本体１４２と、対応のサービスプラググリップ１４３との係合を解除し、サービスプラググリップ１４３をサービスプラグ本体１４２から取り外すことにより、当該係合によって固定されていたカバーパネル１３１が可動状態になる。
【０１４５】
具体的には、サービスプラグ１４１ＦＷ１，１４１ＦＥ１におけるサービスプラグ本体１４２と、対応のサービスプラググリップ１４３との係合をそれぞれ解除し、当該対応のサービスプラググリップ１４３を取り外すことにより、当該係合によって固定されていたカバーパネル１３１Ｆ１が可動状態になる。
【０１４６】
同様に、サービスプラグ１４１ＲＷ１，１４１ＲＥ１におけるサービスプラグ本体１４２と、対応のサービスプラググリップ１４３との係合をそれぞれ解除し、当該対応のサービスプラググリップ１４３を取り外すことにより、当該係合によって固定されていたカバーパネル１３１Ｒ１が可動状態になる。
【０１４７】
すなわち、たとえば、サービスプラグ１４１におけるサービスプラグ本体１４２およびサービスプラググリップ１４３の係合が解除されることで、サービスプラグ１４１は、対応のカバーパネル１３１の変位を解除し、かつ対応のカバーパネル１３１による取り出し空間３１１の開放を可能とする。
【０１４８】
サービスプラグ１４１ＦＷ２〜１４１ＦＷ４，１４１ＦＥ２〜１４１ＦＥ４におけるサービスプラグ本体１４２は、それぞれサービスプラグ１４１ＦＷ１，１４１ＦＥ１におけるサービスプラグ本体１４２と同様に、対応のサービスプラググリップ１４３と係合可能となるように、汎用板２０１Ｆ２〜２０１Ｆ４に固定される。
【０１４９】
また、サービスプラグ１４１ＲＷ２〜１４１ＲＷ４，１４１ＲＥ２〜１４１ＲＥ４におけるサービスプラグ本体１４２は、それぞれサービスプラグ１４１ＲＷ１，１４１ＲＥ１におけるサービスプラグ本体１４２と同様に、対応のサービスプラググリップ１４３と係合可能となるように、汎用板２０１Ｒ２〜２０１Ｒ４に固定される。
【０１５０】
なお、サービスプラグ１４１に加えて、たとえばねじ等の固定部材を用いてカバーパネル１３１を汎用板２０１に固定してもよい。これにより、カバーパネル１３１をより確実に汎用板２０１に固定することができる。
【０１５１】
［サービスプラグにおける電気的な接続経路］
図１２は、本発明の実施の形態に係るサービスプラグにおいてサービスプラグ本体とサービスプラググリップとが係合した状態における電気的接続の一例を示す図である。
【０１５２】
図１２を参照して、サービスプラグ１４１におけるサービスプラグ本体１４２は、第１端Ｔ１，第２端Ｔ２，第３端Ｔ３，第４端Ｔ４を有する。
【０１５３】
サービスプラグ１４１において、サービスプラグ本体１４２およびサービスプラググリップ１４３が係合した状態では、第１端Ｔ１および第２端Ｔ２は、接点Ｃ５、サービスプラググリップ１４３および接点Ｃ６を経由して電気的に接続される。
【０１５４】
また、サービスプラグ本体１４２およびサービスプラググリップ１４３が係合した状態では、第３端Ｔ３および第４端Ｔ４は、接点Ｃ７、サービスプラググリップ１４３および接点Ｃ８を経由して電気的に接続される。
【０１５５】
図１３は、本発明の実施の形態に係るサービスプラグにおいてサービスプラグ本体とサービスプラググリップとの係合が解除された状態における電気的接続の一例を示す図である。
【０１５６】
図１３を参照して、サービスプラグ１４１において、サービスプラグ本体１４２およびサービスプラググリップ１４３の係合が解除されると、第１端Ｔ１および第２端Ｔ２、ならびに第３端Ｔ１および第４端Ｔ２の電気的接続が切断される。
【０１５７】
より詳細には、サービスプラグ本体１４２およびサービスプラググリップ１４３の係合が解除されると、図１２に示す接点Ｃ５，Ｃ６，Ｃ７，Ｃ８における電気的接続が切断されるので、第１端Ｔ１および第２端Ｔ２、ならびに第３端Ｔ１および第４端Ｔ２の電気的接続が切断される。
【０１５８】
［各蓄電池Ｂ間の電気的接続］
図１４は、本発明の実施の形態に係る蓄電池の電気的接続の一例を示す図である。
【０１５９】
図１４を参照して、電源装置１０１では、たとえば、サービスプラグ１４１を介して直列に接続された４個の蓄電池Ｂにより直列ユニットが構成される。
【０１６０】
具体的には、蓄電池Ｂ１１〜Ｂ１４およびサービスプラグ１４１ＲＷ１，１４１ＲＥ１，１４１ＦＥ１，１４１ＦＷ１は、直列ユニットＢＳ１を構成する。蓄電池Ｂ２１〜Ｂ２４およびサービスプラグ１４１ＲＷ２，１４１ＲＥ２，１４１ＦＥ２，１４１ＦＷ２は、直列ユニットＢＳ２を構成する。蓄電池Ｂ３１〜Ｂ３４およびサービスプラグ１４１ＲＷ３，１４１ＲＥ３，１４１ＦＥ３，１４１ＦＷ３は、直列ユニットＢＳ３を構成する。蓄電池Ｂ４１〜Ｂ４４およびサービスプラグ１４１ＲＷ４，１４１ＲＥ４，１４１ＦＥ４，１４１ＦＷ４は、直列ユニットＢＳ４を構成する。
【０１６１】
より詳細には、サービスプラグ１４１ＲＷ１，１４１ＲＷ２，１４１ＲＷ３，１４１ＲＷ４は、それぞれ、ＢＭＳ５０１の第１端，第２端，第３端，第４端に接続された第１端Ｔ１と、蓄電池Ｂ１１，Ｂ２１，Ｂ３１，Ｂ４１における陽極ＴＰ１１，ＴＰ２１，ＴＰ３１，ＴＰ４１に接続された第２端Ｔ２と、蓄電池Ｂ１１，Ｂ２１，Ｂ３１，Ｂ４１における陰極ＴＭ１１，ＴＭ２１，ＴＭ３１，ＴＭ４１に接続された第３端Ｔ３と、第４端Ｔ４とを有する。
【０１６２】
サービスプラグ１４１ＲＥ１，１４１ＲＥ２，１４１ＲＥ３，１４１ＲＥ４は、それぞれ、サービスプラグ１４１ＲＷ１，１４１ＲＷ２，１４１ＲＷ３，１４１ＲＷ４の第４端に接続された第１端Ｔ１と、蓄電池Ｂ１２，Ｂ２２，Ｂ３２，Ｂ４２における陽極ＴＰ１２，ＴＰ２２，ＴＰ３２，ＴＰ４２に接続された第２端Ｔ２と、蓄電池Ｂ１２，Ｂ２２，Ｂ３２，Ｂ４２における陰極ＴＭ１２，ＴＭ２２，ＴＭ３２，ＴＭ４２に接続された第３端Ｔ３と、第４端Ｔ４とを有する。
【０１６３】
サービスプラグ１４１ＦＥ１，１４１ＦＥ２，１４１ＦＥ３，１４１ＦＥ４は、それぞれ、サービスプラグ１４１ＲＥ１，１４１ＲＥ２，１４１ＲＥ３，１４１ＲＥ４の第４端に接続された第１端Ｔ１と、蓄電池Ｂ１３，Ｂ２３，Ｂ３３，Ｂ４３における陽極ＴＰ１３，ＴＰ２３，ＴＰ３３，ＴＰ４３に接続された第２端Ｔ２と、蓄電池Ｂ１３，Ｂ２３，Ｂ３３，Ｂ４３における陰極ＴＭ１３，ＴＭ２３，ＴＭ３３，ＴＭ４３に接続された第３端Ｔ３と、第４端Ｔ４とを有する。
【０１６４】
サービスプラグ１４１ＦＷ１，１４１ＦＷ２，１４１ＦＷ３，１４１ＦＷ４は、それぞれ、サービスプラグ１４１ＦＥ１，１４１ＦＥ２，１４１ＦＥ３，１４１ＦＥ４の第４端に接続された第１端Ｔ１と、蓄電池Ｂ１４，Ｂ２４，Ｂ３４，Ｂ４４における陽極ＴＰ１４，ＴＰ２４，ＴＰ３４，ＴＰ４４に接続された第２端Ｔ２と、蓄電池Ｂ１４，Ｂ２４，Ｂ３４，Ｂ４４における陰極ＴＭ１４，ＴＭ２４，ＴＭ３４，ＴＭ４４に接続された第３端Ｔ３と、ＢＭＳ５０１の第５端に接続された第４端Ｔ４とを有する。
【０１６５】
すなわち、収納装置１６１において、４つの直列ユニットＢＳ１，ＢＳ２，ＢＳ３，ＢＳ４が並列に接続される。以下、直列ユニットＢＳ１，ＢＳ２，ＢＳ３，ＢＳ４を直列ユニットＢＳとも称する。
【０１６６】
また、サービスプラグ１４１において、サービスプラグ本体１４２およびサービスプラググリップ１４３が係合した状態において、対応の棚１２１に載置された各蓄電池Ｂの間ならびに蓄電池ＢおよびＢＭＳ５０１の間の電気的な接続経路の一部が形成される。
【０１６７】
一方、サービスプラグ１４１において、サービスプラグ本体１４２およびサービスプラググリップ１４３の係合が解除された状態において、対応の棚１２１に載置された各蓄電池Ｂの間ならびに蓄電池ＢおよびＢＭＳ５０１の間の電気的な接続は形成されない。
【０１６８】
たとえば、複数の蓄電池Ｂが直列に接続されている場合、高電圧が発生するため、作業者が蓄電池Ｂの交換作業を行う際に感電する可能性がある。
【０１６９】
これに対して、本発明の実施の形態に係る電源装置１０１では、作業者ＷＭ２は、たとえば、蓄電池Ｂ２４の交換作業を行う際、図７に示すようにサービスプラグ１４１ＦＷ２，１４１ＦＥ２におけるサービスプラググリップ１４３を取り外し、カバーパネル１３１Ｆ２の固定を解除する。
【０１７０】
そして、作業者ＷＭ２は、カバーパネル１３１Ｆ２を電源装置１０１の外部方向へ延伸させ、蓄電池Ｂ２４を棚１２１Ｓ２の載置面１２２からカバーパネル１３１Ｆ２の作業面１３６へ移動させる。
【０１７１】
すなわち、作業者ＷＭ２が蓄電池Ｂ２４の交換作業を行うときには、交換の対象とする蓄電池Ｂ２４と他の蓄電池ＢまたはＢＭＳ５０１との電気的な接続が切断されているので、作業者ＷＭ２は、高電圧により感電してしまうことを回避することができる。
【０１７２】
また、作業者ＷＭ２がサービスプラグ１４１を操作しやすい位置、具体的には棚１２１の前面および後面にサービスプラグ１４１を設ける構成により、作業者ＷＭ２がサービスプラグ１４１を操作することなく蓄電池Ｂの交換作業を開始してしまうことを回避することができる。
【０１７３】
また、サービスプラグ１４１において、サービスプラグ本体１４２およびサービスプラググリップ１４３がカバーパネル１２１の切欠き部１３３を挟みながら係合する簡易な構成により、たとえば自動車用のサービスプラグより低コストでサービスプラグ１４１を生産することができる。
【０１７４】
なお、本発明の実施の形態に係る電源装置１０１は、直列ユニットＢＳ１，ＢＳ２，ＢＳ３，ＢＳ４を含む構成であるとしたが、これに限定するものではない。電源装置１０１は、たとえば、３個以下または５個以上の直列ユニットＢＳを含む構成であってもよい。
【０１７５】
また、本発明の実施の形態に係る電源装置１０１における直列ユニットＢＳ１，ＢＳ２，ＢＳ３，ＢＳ４は、それぞれ４個の蓄電池Ｂを含む構成であるとしたが、これに限定するものではない。各直列ユニットは、たとえば、３個以下または５個以上の蓄電池Ｂを含む構成であってもよい。
【０１７６】
また、本発明の実施の形態に係る電源装置１０１における直列ユニットＢＳ１，ＢＳ２，ＢＳ３，ＢＳ４は、各直列ユニットが並列に接続される構成であるとしたが、これに限定するものではない。各直列ユニットの一部または全部が、たとえば直列に接続されてもよい。
【０１７７】
また、サービスプラグ１４１には、ヒューズが含まれてもよい。これにより、接続ケーブルにおいて過電流が継続的に流れてしまうことを防止するとともに、ヒューズをコンパクトに収容することができる。
【０１７８】
［カバーパネルのサイズ］
図１５は、本発明の実施の形態に係る電源装置において前側の扉の開放時における電源装置を上から見た状態を示す断面図である。
【０１７９】
図１５を参照して、電源装置１０１におけるケーシング１０２には、両開きの扉１０４が取り付けられている。なお、電源装置１０１には、片開きの扉が取り付けられてもよい。
【０１８０】
扉１０４の開閉角度βは、たとえば開放された扉１０４とカバーパネル１３１の延伸方向Ｓとのなす角により求められる。なお、開閉角度βは、たとえば開放された扉１０４と側板２２２Ｅまたは２２２Ｗの前後方向とのなす角により求められてもよい。
【０１８１】
たとえば、開閉角度βがゼロとなる方向は、延伸方向Ｓまたは、側板２２２Ｅもしくは２２２Ｗの前後方向である。また、開口部３０１を閉鎖している扉１０４が開く方向を開閉角度βの増加方向とする。すなわち、扉１０４が開口部３０１を閉鎖しているときの開閉角度βは、たとえばマイナス９０度である。
【０１８２】
具体的には、図１５において、前側の扉１０４ＦＷが時計回りに回転する際、開閉角度βＦＷは増加する。そして、前側の扉１０４ＦＷが開口部３０１Ｆを閉鎖しているとき、開閉角度βＦＷは、略マイナス９０度となる。
【０１８３】
また、図１５において、前側の扉１０４ＦＥが反時計回りに回転する際、開閉角度βＦＥは増加する。そして、前側の扉１０４ＦＥが開口部３０１Ｆを閉鎖しているとき、開閉角度βＦＷは、略マイナス９０度となる。
【０１８４】
また、扉１０４ＦＷ，１０４ＦＥは、たとえば水切り１０３Ｆとの干渉があるため、全開の状態においても、開閉角度βＦＷ，βＦＥが略プラス９０度を超えることはない。
【０１８５】
たとえば、開閉角度βＦＷ，βＦＥは、それぞれ扉１０４ＦＷ，１０４ＦＥが全開時の状態において、略プラス４５度である。なお、たとえば、開閉角度βＦＷ，βＦＥは、それぞれ扉１０４ＦＷ，１０４ＦＥが全開時の状態において、略プラス３０度であってもよい。すなわち、開閉角度βＦＷ，βＦＥの大きさは、鋭角になるように制限されている。
【０１８６】
作業者ＷＭ２，ＷＭ３は、たとえば、扉１０４ＦＷ，１０４ＦＥを開放した後、カバーパネル１３１Ｆ１を電源装置１０１の外部方向へ延伸し、棚１２１Ｓ１に載置された蓄電池Ｂ１４をカバーパネル１３１Ｆ１の作業面１３６上へ移動させる。
【０１８７】
作業者ＷＭ２，ＷＭ３は、カバーパネル１３１Ｆ１の棚１２１に連結されている側の反対側の端部近傍まで蓄電池Ｂ１４を移動させた後、蓄電池Ｂ１４を取り出す。
【０１８８】
たとえば、カバーパネル１３１Ｆ１のサイズが、蓄電池Ｂ１４を載置可能な程度の大きさである場合、作業者ＷＭ２，ＷＭ３は、蓄電池Ｂ１４の交換作業を行うための十分な空間を確保することができ、蓄電池Ｂ１４を容易に取り出すことができる。また、ハンドリフタ９５１を使用できる場合においては、フォーク部９５２の先端を蓄電池Ｂ１４の近傍まで届かせることができるので、蓄電池Ｂ１４をより容易に取り出すことができる。
【０１８９】
また、たとえば、カバーパネル１３１が全開状態である場合において、開口部３０１の外部側端部からカバーパネル１３１の棚１２１に連結されている側の反対側の端部までの長さＬが、扉１０４の幅ＷＤの半分より長い場合、作業者ＷＭ２，ＷＭ３は、蓄電池Ｂ１４の交換作業を行うための十分な空間を確保することができ、蓄電池Ｂ１４を容易に取り出すことができる。また、ハンドリフタ９５１を使用できる場合においては、フォーク部９５２の先端を蓄電池Ｂ１４の近傍まで届かせることができるので、蓄電池Ｂ１４をより容易に取り出すことができる。
【０１９０】
また、たとえば、長さＬが幅ＷＤより長い場合、作業者ＷＭ２，ＷＭ３は、蓄電池Ｂ１４の交換作業を行うための空間を十分に確保することができるので、蓄電池Ｂ１４の交換作業の効率を高めることができる。また、ハンドリフタ９５１を使用できる場合においては、フォーク部９５２の先端を蓄電池Ｂ１４の近傍まで届かせることができるので、蓄電池Ｂ１４をより容易に取り出すことができる。
【０１９１】
なお、本発明の実施の形態に係る収納装置では、収納装置１６１において、棚１２１Ｓ０〜１２１Ｓ５の６個の棚１２１を備える構成であるとしたが、これに限定するものではない。収納装置１６１において、たとえば、５個以下または７個以上の棚１２１を備える構成であってもよい。たとえば、棚１２１が１個の場合では、サービスプラグ１４１は、上段の棚１２１の代わりに支柱１１１に直接固定可能な１９インチ汎用板に設けられてもよい。
【０１９２】
［蓄電池Ｂの交換方法］
図１６は、本発明の実施の形態に係る電源装置において蓄電池を交換する方法を定めたフローチャートである。
【０１９３】
図１６を参照して、まず、作業者ＷＭ２は、電源装置１０１の扉１０４を開放する（ステップＳ１０２）。
【０１９４】
次に、作業者ＷＭ２は、サービスプラグ１４１におけるサービスプラググリップ１４３を取り外す（ステップＳ１０４）。
【０１９５】
次に、作業者ＷＭ２は、サービスプラグ１４１による変位の制限が解除されたカバーパネル１３１を操作することにより、取り出し空間３１１を開放する（ステップＳ１０６）。
【０１９６】
次に、作業者ＷＭ２は、開放された取り出し空間３１１における蓄電池Ｂの陽極ＴＰ，陰極ＴＭに接続された接続ケーブルを外す（ステップＳ１０８）。
【０１９７】
次に、作業者ＷＭ２，ＷＭ３は、棚１２１に対する蓄電池Ｂの固定を解除し、棚１２１に載置された蓄電池Ｂをカバーパネル１３１の作業面１３６上へ移動させる（ステップＳ１１０）。
【０１９８】
次に、作業者ＷＭ２，ＷＭ３は、作業面１３６上の蓄電池Ｂを電源装置１０１から取り出す（ステップＳ１１２）。
【０１９９】
ところで、たとえば特許文献１に記載されたキュービクル式蓄電池盤において蓄電池の交換作業が行われる場合、作業者は収納された蓄電池の取出しおよび交換用の蓄電池の据付等の作業を行う。一般に、蓄電池は重量物であるため、キュービクル式蓄電池盤のサイズおよび設置場所等によっては、交換作業が困難となる場合がある。
【０２００】
たとえば、キュービクル式蓄電池盤の幅が狭い場合、作業者が蓄電池の交換作業を行うための空間を十分に確保することができず、蓄電池の交換作業が困難となる。
【０２０１】
これに対して、本発明の実施の形態に係る収納装置では、収納装置１６１は、蓄電池Ｂを収納する。棚１２１は、蓄電池Ｂを載置可能である。ケーシング１０２は、棚１２１を収容し、棚１２１に載置された蓄電池Ｂを外部に取り出し可能な取り出し空間３１１を棚１２１とともに規定する開口部３０１が形成される。カバーパネル１３１は、棚１２１に載置される蓄電池Ｂの取り出し空間３１１の一部または全部を閉鎖可能である。そして、カバーパネル１３１は、取り出し空間３１１を開放した状態において、取り出し空間３１１から収納装置１６１の外部への方向Ｓに延伸し、かつ棚１２１の載置面１２２と略同一平面を形成する。
【０２０２】
このような構成により、カバーパネル１３１を用いて棚１２１の載置面１２２を実質的に収納装置１６１の外部側へ広げることができるので、棚１２１に載置された蓄電池Ｂを持ち上げることなく収納装置１６１の外部側へ移動させることができる。
【０２０３】
これにより、収納装置１６１の幅が狭い場合であっても、作業者が蓄電池Ｂの交換作業を行うための空間を確保することができるので、蓄電池Ｂの交換作業を容易に行うことができる。
【０２０４】
また、たとえば、蓄電池Ｂの交換作業時以外において取り出し空間３１１の一部または全部をカバーパネル１３１で閉鎖することにより、作業者が不用意に蓄電池Ｂと接触してしまう機会を減少させることができる。
【０２０５】
また、たとえば、ケーシング１０２および棚１２１として汎用のキュービクルおよび１９インチラックをそれぞれ用いることにより、蓄電池Ｂの種類に応じた専用設計の収納装置を生産する代わりに汎用設計の収納装置１６１を生産することができるので、小ロット多品種生産時における収納装置１６１の生産コストを低下させることができる。
【０２０６】
また、たとえば、複数の蓄電池Ｂが直列に接続されている場合、高電圧が発生するため、作業者が蓄電池Ｂの交換作業を行う際に感電する可能性がある。
【０２０７】
これに対して、本発明の実施の形態に係る収納装置では、サービスプラグ１４１は、カバーパネル１３１の変位を制限可能であり、棚１２１に載置された蓄電池Ｂと他の蓄電池ＢまたはＢＭＳ５０１との電気的な接続経路の一部を形成する。サービスプラグ１４１がカバーパネル１３１の変位を制限している状態において、サービスプラグ１４１を含む接続経路が形成され、かつカバーパネル１３１は取り出し空間３１１を閉鎖している。そして、サービスプラグ１４１がカバーパネル１３１の制限を解除した状態において、上記接続経路は形成されず、かつカバーパネル１３１は取り出し空間３１１を開放可能となる。
【０２０８】
このように、サービスプラグ１４１がカバーパネル１３１の制限を解除した状態において、上記接続経路が切断され、かつカバーパネル１３１により取り出し空間３１１が開放可能となる構成により、取り出し空間３１１を開放した状態において、棚１２１に載置された蓄電池Ｂと他の蓄電池ＢまたはＢＭＳ５０１との電気的な接続経路が切断された状態とすることできる。
【０２０９】
これにより、作業者が蓄電池Ｂの交換作業を行う場合において、電気的な接続経路が確実に切断され、高電圧が発生していない状態とすることができるので、作業者が高電圧により感電してしまうことを回避することができる。
【０２１０】
また、サービスプラグ１４１がカバーパネル１３１の変位を制限している状態において、上記接続経路が導通し、かつカバーパネル１３１により取り出し空間３１１が閉鎖されるので、高電圧が発生している状態において、作業者が不用意に蓄電池Ｂの陽極ＴＰ，陰極ＴＭ等に接触してしまう機会を減少させることができる。これにより、作業者が高電圧により感電してしまうことを回避することができる。
【０２１１】
また、本発明の実施の形態に係る収納装置では、扉１０４は、ケーシング１０２に取り付けられ、ケーシング１０２の開口部３０１を閉鎖可能である。扉１０４の開放は、開放された扉１０４とカバーパネル１３１の延伸方向Ｓとのなす角βが鋭角になるように制限されている。
【０２１２】
このように、開放された扉１０４とカバーパネル１３１の延伸方向Ｓとのなす角βが鋭角になるように制限されることにより、作業者が蓄電池Ｂの交換作業を行うための作業空間が制限される場合においても、取り出し空間３１１を開放した状態において棚１２１の載置面を実質的に収納装置１６１の外部側へ広げることができるので、作業空間を実質的に広げることができる。
【０２１３】
また、本発明の実施の形態に係る収納装置では、取り出し空間３１１を開放した状態において載置面１２２と略同一平面を形成するカバーパネル１３１の作業面１３６の一部または全部の摩擦係数は、載置面１２２の摩擦係数と比べて小さい。
【０２１４】
このような構成により、取り出し空間３１１を開放した状態において、重量物である蓄電池Ｂを作業面１３６上で滑らせることができる。これにより、作業面１３６上において蓄電池Ｂを容易に移動させることができるので、蓄電池Ｂの交換作業の効率を向上させることができる。
【０２１５】
また、本発明の実施の形態に係る収納装置では、取り出し空間３１１を開放した状態において載置面１２２と略同一平面を形成するカバーパネル１３１の作業面１３６の一部または全部の絶縁性は、載置面１２２の絶縁性と比べて高い。
【０２１６】
このような構成により、蓄電池Ｂが載置面１２２上またはカバーパネル１３１の作業面１３６上にある状態において、蓄電池Ｂの陽極ＴＰ，陰極ＴＭ間の絶縁をより確実にすることができるので、短絡および感電の発生を抑制することができる。
【０２１７】
また、本発明の実施の形態に係る収納装置では、カバーパネル１３１のサイズは、取り出し空間３１１を開放した状態において蓄電池Ｂを載置可能なサイズである。
【０２１８】
このような構成により、棚１２１の端部から収納装置１６１の外部側へ蓄電池Ｂのサイズ以上蓄電池Ｂを移動させることができるので、作業者は、収納装置１６１の外部側から蓄電池Ｂの交換作業を行うための空間を十分に確保することができ、蓄電池Ｂを容易に取り出すことができる。
【０２１９】
また、本発明の実施の形態に係る収納装置では、ステー１５１およびカバーパネル蝶番１３５は、カバーパネル１３１が取り出し空間３１１を開閉可能となるようにカバーパネル１３１を変位させる。そして、ステー１５１およびカバーパネル蝶番１３５は、棚１２１およびカバーパネル１３１に取り付けられている。
【０２２０】
このような構成により、収納装置１６１を製品として出荷する前にステー１５１およびカバーパネル蝶番１３５と棚１２１およびカバーパネル１３１とを一体化させることができるので、収納装置１６１を現場で設置する際の組み立て性を向上させ、かつ棚１２１の汎用性を向上させることができる。
【０２２１】
また、本発明の実施の形態に係る収納装置では、棚１２１に載置された蓄電池Ｂの取り出しは、複数人で行うことが推奨されている。
【０２２２】
このように、棚１２１に載置された蓄電池Ｂの取り出しを複数人で行うことが推奨されている場合においても、取り出し空間３１１を開放した状態において棚１２１の載置面を実質的に収納装置１６１の外部側へ広げることができるので、たとえば作業者ＷＭ２，ＷＭ３は、蓄電池Ｂの交換作業を容易に行うことができる。
【０２２３】
なお、本発明の実施の形態に係る収納装置では、各棚１２１において、収納装置１６１の前側および後側にカバーパネル１３１が連結される構成であるとしたが、これに限定するものではない。各棚１２１において、たとえば、前側および後側のいずれか一方にカバーパネル１３１が連結される構成であってもよい。また、たとえば、右側の側板２２２Ｅおよび左側の２２２Ｗの少なくとも一方に開口部が形成される場合には、各棚１２１において、前側および後側に加えて、右側および左側の少なくとも一方にカバーパネル１３１が連結される構成であってもよい。
【０２２４】
また、本発明の実施の形態に係る収納装置では、カバーパネル１３１は、取り出し空間３１１の全部を閉鎖する構成であるとしたが、これに限定するものではない。カバーパネル１３１は、たとえば取り出し空間３１１の一部を閉鎖する構成であってもよい。
【０２２５】
また、本発明の実施の形態に係る収納装置では、取り出し空間３１１を開放した状態において、カバーパネル１３１の棚１２１に連結されている側の反対側の端部が開口部３０１の外部側の端面より外部に出る構成であるとしたが、これに限定するものではない。たとえば、棚１２１がケーシング１０２の奥に収まっている場合、カバーパネル１３１は、取り出し空間３１１を開放した状態であってもカバーパネル１３１の棚１２１に連結されている側の反対側の端部がケーシング１０２の外部側の端面、より詳細には水切り１０３の外部側の端面より内側に収まっていてもよい。
【０２２６】
また、本発明の実施の形態に係る収納装置では、サービスプラグ１４１が変位を制限するカバーパネル１３１が開閉する取り出し空間３１１に含まれる蓄電池Ｂと、当該サービスプラグ１４１が電気的な接続および切断の対象とする蓄電池Ｂとが同じになる構成であるとしたが、これに限定するものではない。たとえば、サービスプラグ１４１が変位を制限するカバーパネル１３１が開閉する取り出し空間３１１に含まれる蓄電池Ｂと、当該サービスプラグ１４１が電気的な接続および切断の対象とする蓄電池Ｂとが異なっていてもよい。
【０２２７】
具体的には、たとえば、前述のようにカバーパネル１３１が開閉する取り出し空間３１１に含まれる蓄電池Ｂと、カバーパネル１３１の作業面１３６上へ移動させる対象の蓄電池Ｂとが異なる場合、サービスプラグ１４１が電気的な接続および切断の対象とする蓄電池Ｂは、当該サービスプラグ１４１が変位を制限するカバーパネル１３１が開閉する取り出し空間３１１に含まれる蓄電池Ｂであってもよいし、当該カバーパネル１３１の作業面１３６上へ移動させる対象の蓄電池Ｂであってもよい。
【０２２８】
また、本発明の実施の形態に係る収納装置では、カバーパネル１３１が閉じている場合において、カバーパネル１３１の上端から下端までの長さが各棚１２１の間隔より短い構成であるとしたが、これに限定するものではない。カバーパネル１３１の上端から下端までの長さは、たとえば、各棚１２１の間隔より長くてもよい。この場合、上下の棚１２１のカバーパネル１３１が閉じているとき、これらのカバーパネル１３１の一部が重なり合う状態となる。
【０２２９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０２３０】
１０１  電源装置
１０２  ケーシング
１０３  水切り
１０４  扉
１１１  支柱
１２１  棚
１２２  載置面
１３１  カバーパネル
１３２  樹脂材
１３３  切欠き部
１３５  カバーパネル蝶番（駆動部）
１３６  作業面
１４１  サービスプラグ（接続部材）
１４２  サービスプラグ本体（接続部材）
１４３  サービスプラググリップ（接続部材）
１５１  ステー（駆動部）
１６１  収納装置
２０１  汎用板
２２１  天板
２２２Ｅ  右側板
２２２Ｗ  左側板
２２２Ｆ  前側板
２２２Ｒ  後側板
２２３  底板
２２４  亘り板
３０１  開口部
３１１  取り出し空間
４０１  蓄電システム
５０１  ＢＭＳ
５１１  発電装置
５１２  パワーコンディショナ
５１３  負荷
Ｂ  蓄電池
【図１】
2015002005.tif 000003
【図２】
2015002005.tif 000004
【図３】
2015002005.tif 000005
【図４】
2015002005.tif 000006
【図５】
2015002005.tif 000007
【図６】
2015002005.tif 000008
【図７】
2015002005.tif 000009
【図８】
2015002005.tif 000010
【図９】
2015002005.tif 000011
【図１０】
2015002005.tif 000012
【図１１】
2015002005.tif 000013
【図１２】
2015002005.tif 000014
【図１３】
2015002005.tif 000015
【図１４】
2015002005.tif 000016
【図１５】
2015002005.tif 000017
【図１６】
2015002005.tif 000018